(57)【要約】【課題】型枠板をＨ形鋼に手間を要せず短時間に効率よく固定することができ、型枠板をＨ形鋼に強固に固定することができる型枠板固定器具を提供する。【解決手段】型枠板固定器具１０は、縦方向へ延びる支持プレート１１と、支持プレート１１の略中央に形成されて縦方向へ延びる設置スペース１２と、設置スペース１２に回転可能に設置されて設置スペース１２の前後方向へ延出し、Ｈ形鋼の連結箇所に設置された連結ボルトに螺着される螺着ロッド１３と、設置スペース１２に設置されて設置スペース１２の前後方向へ延出する当接ロッド１４とから形成されている。型枠板固定器具１０では、螺着ロッド１３の先端部をＨ形鋼の連結箇所に設置された連結ボルトに螺着すると、当接ロッド１４の先端部が型枠板の外面に密着して型枠板がＨ形鋼に固定される。【選択図】図１
2018013021.tif 000002
【特許請求の範囲】
【請求項１】
コンクリート構造物の施行に使用される型枠板を鋼材に着脱可能に固定する型枠板固定器具において、
前記型枠板固定器具が、縦方向へ延びる支持プレートと、前記支持プレートの略中央に形成されて縦方向へ延びる設置スペースと、前記設置スペースに回転可能に設置されて該設置スペースの前後方向へ延出し、前記鋼材に取り付けられたボルトに螺着される少なくとも１つの螺着ロッドと、前記設置スペースに設置されて該設置スペースの前後方向へ延出する少なくとも１つの当接ロッドとから形成され、
前記型枠板固定器具では、前記螺着ロッドの先端部を前記鋼材に取り付けられたボルトに螺着すると、前記当接ロッドの先端部が前記型枠板の外面に密着して該型枠板が該鋼材に固定され、前記鋼材に取り付けられたボルトに対する前記螺着ロッドの螺着を解除すると、前記鋼材に対する前記型枠板の固定が解除されることを特徴とする型枠板固定器具。
【請求項２】
前記支持プレートが、縦方向へ延びる第１プレート部材と、前記第１プレート部材から横方向へ離間し、該第１プレートに並行して縦方向へ延びる第２プレート部材とから形成され、前記第１プレート部材が、横方向に張り出して縦方向へ延びる第１支持部分と、前記第１支持部分の側縁につながり、前後方向に張り出して縦方向へ延びる第１補強部分とを有し、前記第２プレート部材が、横方向に張り出して縦方向へ延びる第２支持部分と、前記第２支持部分の側縁につながり、前後方向に張り出して縦方向へ延びる第２補強部分とを有する請求項１に記載の型枠板固定器具。
【請求項３】
前記型枠板固定器具では、前記螺着ロッドが前記設置スペースにおいて縦方向へ移動可能であって該設置スペースにおける該螺着ロッドの設置位置を変更可能であり、前記当接ロッドが前記設置スペースにおいて縦方向へ移動可能であって該設置スペースにおける該当接ロッドの設置位置を変更可能である請求項１または請求項２に記載の型枠板固定器具。
【請求項４】
前記型枠板固定器具では、前記螺着ロッドの先端部の前記設置スペースから前後方向前方への延出寸法を調節可能であり、前記当接ロッドの先端部の前記設置スペースから前後方向前方への延出寸法を調節可能である請求項１ないし請求項３いずれかに記載の型枠板固定器具。
【請求項５】
前記型枠板固定器具では、前記支持プレートを縦方向へ略直状に起立させた状態で該型枠板固定器具を型枠板の外面側に配置し、前記設置スペースに設置された第１螺着ロッドの先端部を前記鋼材に取り付けられたボルトのうちの前記当接ロッドの側に位置する第１ボルトに螺着し、前記設置スペースに設置されて前記第１螺着ロッドから縦方向に並ぶ第２〜第ｎ螺着ロッドの先端部を前記第１ボルトから縦方向に並ぶ第２〜第ｎボルトに螺着し、または、前記支持プレートを横方向へ略直状に寝かせた状態で該型枠板固定器具を型枠板の外面側に配置し、前記設置スペースに設置された第１螺着ロッドの先端部を前記鋼材に取り付けられたボルトのうちの前記当接ロッドの側に位置する第１ボルトに螺着し、前記設置スペースに設置されて前記第１螺着ロッドから横方向に並ぶ第２〜第ｎ螺着ロッドの先端部を前記第１ボルトから横方向に並ぶ第２〜第ｎボルトに螺着する請求項１ないし請求項４いずれかに記載の型枠板固定器具。
【請求項６】
前記型枠板固定器具では、前記支持プレートを縦方向へ略直状に起立させた状態の少なくとも２つの型枠板固定器具を横方向へ並べ、それら型枠板固定器具を前記鋼材に設置し、または、前記支持プレートを横方向へ略直状に寝かせた状態の少なくとも２つの型枠板固定器具を縦方向へ並べ、それら型枠板固定器具を前記鋼材に設置する請求項５に記載の型枠板固定器具。
【請求項７】
前記型枠板固定器具では、前記支持プレートを斜めに傾斜させた状態で該型枠板固定器具を型枠板の外面側に配置し、前記設置スペースに設置された第１螺着ロッドの先端部を前記鋼材に取り付けられたボルトのうちの前記当接ロッドの側に位置する第１ボルトに螺着し、前記設置スペースに設置されて前記第１螺着ロッドから縦方向へ並ぶ第２〜第ｎ螺着ロッドの先端部を前記第１ボルトから斜め方向へ並ぶ第２〜第ｎボルトに螺着する請求項１ないし請求項６いずれかに記載の型枠板固定器具。
【請求項８】
前記型枠板固定器具では、前記支持プレートを斜めに傾斜させた状態の少なくとも２つの型枠板固定器具を縦方向または横方向へ並べ、それら型枠板固定器具を前記鋼材に設置する請求項７に記載の型枠板固定器具。
【請求項９】
前記ボルトが、前記鋼材どうしを連結する連結ボルトであり、前記ボルトの取り付け位置が、前記鋼材の連結箇所である請求項１ないし請求項８いずれかに記載の型枠板固定器具。
【請求項１０】
前記鋼材が、Ｈ形鋼であり、前記型枠板固定器具では、一方の型枠板を前記Ｈ形鋼の一方のフランジの外面側に配置するとともに一方の型枠板固定器具の支持プレートを一方の型枠板の外面側に配置し、他方の型枠板を前記Ｈ形鋼の他方のフランジの外面側に配置するとともに他方の型枠板固定器具の支持プレートを他方の型枠板の外面側に配置した後、前記一方の型枠板固定器具の設置スペースに設置された螺着ロッドの先端部を前記Ｈ形鋼の一方のフランジどうしの連結箇所に取り付けられた連結ボルトに螺着し、前記他方の型枠板固定器具の設置スペースに設置された螺着ロッドの先端部を前記Ｈ形鋼の他方のフランジどうしの連結箇所に取り付けられた連結ボルトに螺着することで、前記一方の型枠板固定器具の設置スペースに設置された前記当接ロッドの先端部が前記一方の型枠板の外面に密着してその型枠板が前記Ｈ形鋼の一方のフランジに固定され、前記他方の型枠板固定器具の設置スペースに設置された前記当接ロッドの先端部が前記他方の型枠板の外面に密着してその型枠板が前記Ｈ形鋼の他方のフランジに固定される請求項９に記載の型枠板固定器具。
【請求項１１】
前記型枠板固定器具では、前記Ｈ形鋼の一方のフランジどうしの連結箇所に取り付けられた連結ボルトに対する前記一方の型枠板固定器具の螺着ロッドの螺着を解除すると、前記Ｈ形鋼の一方のフランジに対する前記一方の型枠板の固定が解除され、前記Ｈ形鋼の他方のフランジどうしの連結箇所に取り付けられた連結ボルトに対する前記他方の型枠板固定器具の螺着ロッドの螺着を解除すると、前記Ｈ形鋼の他方のフランジに対する前記他方の型枠板の固定が解除される請求項１０に記載の型枠板固定器具。
【請求項１２】
前記型枠板固定器具では、前記Ｈ形鋼のフランジどうしの連結箇所において前記支持プレートを縦方向へ略直状に起立させた状態で該型枠板固定器具を型枠板の外面側に配置し、前記設置スペースに設置された第１螺着ロッドの先端部を前記連結箇所に取り付けられた連結ボルトのうちの前記当接ロッドの側に位置する第１連結ボルトに螺着し、前記設置スペースに設置されて前記第１螺着ロッドから縦方向に並ぶ第２〜第ｎ螺着ロッドの先端部を前記第１連結ボルトから縦方向に並ぶ第２〜第ｎ連結ボルトに螺着し、または、前記Ｈ形鋼のフランジどうしの連結箇所において前記支持プレートを横方向へ略直状に寝かせた状態で該型枠板固定器具を型枠板の外面側に配置し、前記設置スペースに設置された第１螺着ロッドの先端部を前記連結箇所に取り付けられた連結ボルトのうちの前記当接ロッドの側に位置する第１連結ボルトに螺着し、前記設置スペースに設置されて前記第１螺着ロッドから横方向に並ぶ第２〜第ｎ螺着ロッドの先端部を前記第１連結ボルトから横方向に並ぶ第２〜第ｎ連結ボルトに螺着する請求項１０または請求項１１に記載の型枠板固定器具。
【請求項１３】
前記型枠板固定器具では、前記Ｈ形鋼のフランジどうしの連結箇所において前記支持プレートを斜めに傾斜させた状態で前記型枠板固定器具を型枠板の外面側に配置し、前記設置スペースに設置された第１螺着ロッドの先端部を前記Ｈ形鋼のフランジどうしの連結箇所に取り付けられた連結ボルトのうちの前記当接ロッドの側に位置する第１連結ボルトに螺着し、前記設置スペースに設置されて前記第１螺着ロッドから縦方向へ並ぶ第２〜第ｎ螺着ロッドの先端部を前記第１連結ボルトから斜め方向へ並ぶ第２〜第ｎ連結ボルトに螺着する請求項１０ないし請求項１２いずれかに記載の型枠板固定器具。
【発明の詳細な説明】
【技術分野】
【０００１】
本発明は、コンクリート構造物の施行に使用される型枠板を鋼材に着脱可能に固定する型枠板固定器具に関する。
【背景技術】
【０００２】
既設の建物（コンクリート構造物）の柱や梁の前に耐震補強に使用するＨ形鋼を所定寸法離間させて配置し、Ｈ形鋼のフランジに型枠を着脱可能に固定した後、Ｈ形鋼とコンクリート構造物と型枠との間の空間にモルタルやコンクリート等のセメント硬化物を充填し、Ｈ形鋼とコンクリート構造物とを一体化する耐震補強方法がある。
【０００３】
耐震補強方法において使用する耐震補強用型枠支持金具が特許文献１に開示されている。特許文献１に開示の耐震補強用型枠支持金具は、主固定ボルトおよび副固定ボルトと、主固定ボルトおよび副固定ボルトによって耐震補強用のＨ形鋼の下フランジをその上面側から押えるフランジ押え部材と、Ｈ形鋼の下フランジの下面に接触した状態で設置される堰板をバタ材を介して支持する型枠支持材と、フランジ押え部材および型枠支持材の基部側をそれぞれ連結する連結部材と、型枠支持材に高さ調整可能に取り付けられ、高さを調整してＨ形鋼の下フランジの下面に当接することによってＨ形鋼をその下フランジの下面側から支持する高さ調整ボルトとから形成されている。この耐震補強用型枠支持金具は、連結部材を介したフランジ押え部材と型枠支持材との間に、Ｈ形鋼の下フランジと堰板とバタ材とが配設される。
【先行技術文献】
【特許文献】
【０００４】
【特許文献１】特開２０１２−１２２２２７号公報
【発明の概要】
【発明が解決しようとする課題】
【０００５】
前記特許文献１に開示の耐震補強用型枠支持金具を利用してＨ形鋼に堰板を固定するには、型枠支持材に設置された高さ調整ボルトを回転させ、堰板とバタ材との厚みを確保しつつ、高さ調整ボルトの上面がＨ形鋼の下フランジの下面に当接するように高さを調節する。次に、主固定ボルトおよび副固定ボルトを回転させ、それらボルトによってＨ形鋼の下フランジをその上面側から締め付け、バタ材の介在下に型枠支持材によって堰板をＨ形鋼の下フランジに固定する。この耐震補強用型枠支持金具は、高さ調整ボルトを回転させて高さを調節する手順と、型枠支持材と堰板との間にバタ材の介在させる手順と、主固定ボルトや副固定ボルトを回転させて型枠支持材によって堰板をＨ形鋼の下フランジに固定する手順とが必要となり、Ｈ形鋼に対する堰板の固定に手間と時間とを要し、堰板をＨ形鋼に手間を要せず短時間に効率よく固定することができない。また、主固定ボルトよりも副固定ボルトを多く回転させると、型枠支持材がＨ形鋼の下フランジに対して傾斜するから、型枠支持材によって堰板をＨ形鋼の下フランジに強固に固定するには主固定ボルトおよび副固定ボルトによるＨ形鋼の下フランジの締め付け具合を最適に調整する必要がある。
【０００６】
本発明の目的は、型枠板を鋼材に手間を要せず短時間に効率よく固定することができ、型枠板を鋼材に強固に固定することができる型枠板固定器具を提供することにある。本発明の他の目的は、ボルトの締め付け具合を調整することなく型枠板を鋼材に容易に固定することができる型枠板固定器具を提供することにある。
【課題を解決するための手段】
【０００７】
前記課題を解決するための本発明の前提は、コンクリート構造物の施行に使用される型枠板を鋼材に着脱可能に固定する型枠板固定器具である。
【０００８】
前記前提における本発明の特徴は、型枠板固定器具が、縦方向へ延びる支持プレートと、支持プレートの略中央に形成されて縦方向へ延びる設置スペースと、設置スペースに回転可能に設置されて設置スペースの前後方向へ延出し、鋼材に取り付けられたボルトに螺着される少なくとも１つの螺着ロッドと、設置スペースに設置されて設置スペースの前後方向へ延出する少なくとも１つの当接ロッドとから形成され、型枠板固定器具では、螺着ロッドの先端部を鋼材に取り付けられたボルトに螺着すると、当接ロッドの先端部が型枠板の外面に密着して型枠板が該鋼材に固定され、鋼材に取り付けられたボルトに対する螺着ロッドの螺着を解除すると、鋼材に対する型枠板の固定が解除されることにある。
【０００９】
本発明の一例としては、支持プレートが、縦方向へ延びる第１プレート部材と、第１プレート部材から横方向へ離間し、第１プレートに並行して縦方向へ延びる第２プレート部材とから形成され、第１プレート部材が、横方向に張り出して縦方向へ延びる第１支持部分と、第１支持部分の側縁につながり、前後方向に張り出して縦方向へ延びる第１補強部分とを有し、第２プレート部材が、横方向に張り出して縦方向へ延びる第２支持部分と、第２支持部分の側縁につながり、前後方向に張り出して縦方向へ延びる第２補強部分とを有する。
【００１０】
本発明の他の一例として、型枠板固定器具では、螺着ロッドが設置スペースにおいて縦方向へ移動可能であって設置スペースにおける螺着ロッドの設置位置を変更可能であり、当接ロッドが設置スペースにおいて縦方向へ移動可能であって設置スペースにおける当接ロッドの設置位置を変更可能である。
【００１１】
本発明の他の一例として、型枠板固定器具では、螺着ロッドの先端部の設置スペースから前後方向前方への延出寸法を調節可能であり、当接ロッドの先端部の設置スペースから前後方向前方への延出寸法を調節可能である。
【００１２】
本発明の他の一例として、型枠板固定器具では、支持プレートを縦方向へ略直状に起立させた状態で型枠板固定器具を型枠板の外面側に配置し、設置スペースに設置された第１螺着ロッドの先端部を鋼材に取り付けられたボルトのうちの当接ロッドの側に位置する第１ボルトに螺着し、設置スペースに設置されて第１螺着ロッドから縦方向に並ぶ第２〜第ｎ螺着ロッドの先端部を第１ボルトから縦方向に並ぶ第２〜第ｎボルトに螺着し、または、支持プレートを横方向へ略直状に寝かせた状態で型枠板固定器具を型枠板の外面側に配置し、設置スペースに設置された第１螺着ロッドの先端部を鋼材に取り付けられたボルトのうちの当接ロッドの側に位置する第１ボルトに螺着し、設置スペースに設置されて第１螺着ロッドから横方向に並ぶ第２〜第ｎ螺着ロッドの先端部を第１ボルトから横方向に並ぶ第２〜第ｎボルトに螺着する。
【００１３】
本発明の他の一例として、型枠板固定器具では、支持プレートを縦方向へ略直状に起立させた状態の少なくとも２つの型枠板固定器具を横方向へ並べ、それら型枠板固定器具を鋼材に設置し、または、支持プレートを横方向へ略直状に寝かせた状態の少なくとも２つの型枠板固定器具を縦方向へ並べ、それら型枠板固定器具を鋼材に設置する。
【００１４】
本発明の他の一例として、型枠板固定器具では、支持プレートを斜めに傾斜させた状態で型枠板固定器具を型枠板の外面側に配置し、設置スペースに設置された第１螺着ロッドの先端部を鋼材に取り付けられたボルトのうちの当接ロッドの側に位置する第１ボルトに螺着し、設置スペースに設置されて第１螺着ロッドから縦方向へ並ぶ第２〜第ｎ螺着ロッドの先端部を第１ボルトから斜め方向へ並ぶ第２〜第ｎボルトに螺着する。
【００１５】
本発明の他の一例として、型枠板固定器具では、支持プレートを斜めに傾斜させた状態の少なくとも２つの型枠板固定器具を縦方向または横方向へ並べ、それら型枠板固定器具を鋼材に設置する。
【００１６】
本発明の他の一例としては、ボルトが鋼材どうしを連結する連結ボルトであり、ボルトの取り付け位置が鋼材の連結箇所である。
【００１７】
本発明の他の一例としては、鋼材がＨ形鋼であり、型枠板固定器具では、一方の型枠板をＨ形鋼の一方のフランジの外面側に配置するとともに一方の型枠板固定器具の支持プレートを一方の型枠板の外面側に配置し、他方の型枠板をＨ形鋼の他方のフランジの外面側に配置するとともに他方の型枠板固定器具の支持プレートを他方の型枠板の外面側に配置した後、一方の型枠板固定器具の設置スペースに設置された螺着ロッドの先端部をＨ形鋼の一方のフランジどうしの連結箇所に取り付けられた連結ボルトに螺着し、他方の型枠板固定器具の設置スペースに設置された螺着ロッドの先端部をＨ形鋼の他方のフランジどうしの連結箇所に取り付けられた連結ボルトに螺着することで、一方の型枠板固定器具の設置スペースに設置された当接ロッドの先端部が一方の型枠板の外面に密着してその型枠板がＨ形鋼の一方のフランジに固定され、他方の型枠板固定器具の設置スペースに設置された当接ロッドの先端部が他方の型枠板の外面に密着してその型枠板がＨ形鋼の他方のフランジに固定される。
【００１８】
本発明の他の一例として、型枠板固定器具では、Ｈ形鋼の一方のフランジどうしの連結箇所に取り付けられた連結ボルトに対する一方の型枠板固定器具の螺着ロッドの螺着を解除すると、Ｈ形鋼の一方のフランジに対する一方の型枠板の固定が解除され、Ｈ形鋼の他方のフランジどうしの連結箇所に取り付けられた連結ボルトに対する他方の型枠板固定器具の螺着ロッドの螺着を解除すると、Ｈ形鋼の他方のフランジに対する他方の型枠板の固定が解除される。
【００１９】
本発明の他の一例として、型枠板固定器具では、Ｈ形鋼のフランジどうしの連結箇所において支持プレートを縦方向へ略直状に起立させた状態で型枠板固定器具を型枠板の外面側に配置し、設置スペースに設置された第１螺着ロッドの先端部を連結箇所に取り付けられた連結ボルトのうちの当接ロッドの側に位置する第１連結ボルトに螺着し、設置スペースに設置されて第１螺着ロッドから縦方向に並ぶ第２〜第ｎ螺着ロッドの先端部を第１連結ボルトから縦方向に並ぶ第２〜第ｎ連結ボルトに螺着し、または、Ｈ形鋼のフランジどうしの連結箇所において支持プレートを横方向へ略直状に寝かせた状態で型枠板固定器具を型枠板の外面側に配置し、設置スペースに設置された第１螺着ロッドの先端部を連結箇所に取り付けられた連結ボルトのうちの当接ロッドの側に位置する第１連結ボルトに螺着し、設置スペースに設置されて第１螺着ロッドから横方向に並ぶ第２〜第ｎ螺着ロッドの先端部を第１連結ボルトから横方向に並ぶ第２〜第ｎ連結ボルトに螺着する。
【００２０】
本発明の他の一例として、型枠板固定器具では、Ｈ形鋼のフランジどうしの連結箇所において支持プレートを斜めに傾斜させた状態で型枠板固定器具を型枠板の外面側に配置し、設置スペースに設置された第１螺着ロッドの先端部をＨ形鋼のフランジどうしの連結箇所に取り付けられた連結ボルトのうちの当接ロッドの側に位置する第１連結ボルトに螺着し、設置スペースに設置されて第１螺着ロッドから縦方向へ並ぶ第２〜第ｎ螺着ロッドの先端部を第１連結ボルトから斜め方向へ並ぶ第２〜第ｎ連結ボルトに螺着する。
【発明の効果】
【００２１】
本発明に係る型枠板固定器具によれば、螺着ロッドの先端部を鋼材に取り付けられた連結ボルトに螺着すると、当接ロッドの先端部が型枠板の外面に密着して型枠板が鋼材に固定されるから、螺着ロッドの先端部を鋼材に取り付けられた連結ボルトに螺着するだけで、型枠板を鋼材に固定することができ、型枠板を鋼材に手間を要せず短時間に効率よく固定することができる。型枠板固定器具は、螺着ロッドを鋼材に取り付けられた連結ボルトに螺着することで、連結ボルトを利用しつつ型枠板を鋼材に強固に固定することができ、従来技術のようにボルトの締め付け具合を調整する必要はなく、型枠板を鋼材に容易に固定することができる。型枠板固定器具は、鋼材に取り付けられた連結ボルトに対する螺着ロッドの先端部の螺着を解除すると、鋼材に対する型枠板の固定が解除されるから、連結ボルトに対する螺着ロッドの螺着を解除するだけで、鋼材に対する型枠板の固定を容易に解除することができ、鋼材から型枠板を容易に取り外すことができる。
【００２２】
支持プレートが縦方向へ延びる第１および第２プレート部材から形成され、第１プレート部材が横方向に張り出して縦方向へ延びる第１支持部分と前後方向に張り出して縦方向へ延びる第１補強部分とを有し、第２プレート部材が横方向に張り出して縦方向へ延びる第２支持部分と前後方向に張り出して縦方向へ延びる第２補強部分とを有する型枠板固定器具は、第１および第２プレート部材の第１および第２支持部分にそれを変形させる応力が作用したとしても、第１および第２プレート部材が前後方向へ張り出す第１および第２補強部分を有するから、それら補強部分が第１および第２プレート部材の強度を向上させ、第１および第２支持部分の変形を防ぐことができ、型枠板固定器具によって型枠板を鋼材に強固かつ確実に固定することができる。
【００２３】
螺着ロッドが前記設置スペースにおいて縦方向へ移動可能であって設置スペースにおける螺着ロッドの設置位置を変更可能であり、当接ロッドが設置スペースにおいて縦方向へ移動可能であって設置スペースにおける当接ロッドの設置位置を変更可能である型枠板固定器具は、螺着ロッドを設置スペースにおいて縦方向へ移動させて設置スペースにおける螺着ロッドの設置位置を変更することで、鋼材に設置された連結ボルトの位置に螺着ロッドを移動させることができ、螺着ロッドの先端部を連結ボルトに確実に螺着することができる。型枠板固定器具は、当接ロッドを設置スペースにおいて縦方向へ移動させて設置スペースにおける当接ロッドの設置位置を変更することで、型枠板の最適な位置に当接ロッドを移動させることができ、当接ロッドの先端部を型枠板の外面に確実に密着させることができる。型枠板固定器具は、設置スペースにおける螺着ロッドの設置位置を変更することで、螺着ロッドの先端部を連結ボルトに確実に螺着することができ、設置スペースにおける当接ロッドの設置位置を変更することで、当接ロッドの先端部を型枠板の外面に確実に密着させることができるから、型枠板を鋼材に確実に固定することができる。
【００２４】
螺着ロッドの先端部の設置スペースから前後方向前方への延出寸法を調節可能であり、当接ロッドの先端部の設置スペースから前後方向前方への延出寸法を調節可能である型枠板固定器具は、型枠板の厚み寸法が小さい場合、螺着ロッドの先端部の設置スペースから前後方向前方への露出寸法を大きくし、当接ロッドの先端部の設置スペースから前後方向前方への延出寸法を大きくすることで、螺着ロッドの先端部を連結ボルトに確実に螺着することができ、当接ロッドの先端部を型枠板の外面に確実に密着させることができるとともに、厚み寸法が小さい型枠板を鋼材に確実に固定することができる。逆に、型枠板の厚み寸法が大きい場合、螺着ロッドの先端部の設置スペースから前後方向前方への延出寸法を小さくし、当接ロッドの先端部の設置スペースから前後方向前方への延出寸法を小さくすることで、螺着ロッドの先端部を連結ボルトに確実に螺着することができ、当接ロッドの先端部を型枠板の外面に確実に密着させることができるとともに、厚み寸法が大きい型枠板を鋼材に確実に固定することができる。
【００２５】
支持プレートを縦方向へ略直状に起立させた状態で型枠板固定器具を型枠板の外面側に配置し、設置スペースに設置された第１螺着ロッドの先端部を鋼材に取り付けられたボルトのうちの当接ロッドの側に位置する第１ボルトに螺着し、設置スペースに設置されて第１螺着ロッドから縦方向に並ぶ第２〜第ｎ螺着ロッドの先端部を第１ボルトから縦方向に並ぶ第２〜第ｎボルトに螺着し、または、支持プレートを横方向へ略直状に寝かせた状態で型枠板固定器具を型枠板の外面側に配置し、設置スペースに設置された第１螺着ロッドの先端部を鋼材に取り付けられたボルトのうちの当接ロッドの側に位置する第１ボルトに螺着し、設置スペースに設置されて第１螺着ロッドから横方向に並ぶ第２〜第ｎ螺着ロッドの先端部を第１ボルトから横方向に並ぶ第２〜第ｎボルトに螺着する型枠板固定器具は、鋼材において縦方向または横方向に並ぶ第１〜第ｎ連結ボルトに設置スペースに設置されて縦方向または横方向に並ぶ第１〜第ｎ螺着ロッドの先端部を螺着することで、それら螺着ロッドを介して型枠板固定器具が複数の連結ボルトに連結され、鋼材に型枠板固定器具を確実に固定することができる。型枠板固定器具は、それが鋼材に確実に固定されるから、支持プレートと鋼材との間に型枠板を確実に固定することができる。
【００２６】
支持プレートを縦方向へ略直状に起立させた状態の少なくとも２つの型枠板固定器具を横方向へ並べ、それら型枠板固定器具を鋼材に設置し、または、支持プレートを横方向へ略直状に寝かせた状態の少なくとも２つの型枠板固定器具を縦方向へ並べ、それら型枠板固定器具を鋼材に設置する型枠板固定器具は、支持プレートを縦方向へ略直状に起立させた状態の少なくとも２つの型枠板固定器具を鋼材に設置し、または、支持プレートを横方向へ略直状に寝かせた状態の少なくとも２つの型枠板固定器具を鋼材に設置することで、それら型枠板固定器具のうちの一方の型枠板固定器具の当接ロッドの先端部が型枠板の外面に密着してその型枠板が鋼材に固定され、それら型枠板固定器具のうちの他方の型枠板固定器具の当接ロッドの先端部が型枠板の外面に密着してその型枠板が鋼材に固定されるから、複数の型枠板固定器具を利用することで、型枠板を鋼材に確実に固定することができる。
【００２７】
支持プレートを斜めに傾斜させた状態で型枠板固定器具を型枠板の外面側に配置し、設置スペースに設置された第１螺着ロッドの先端部を鋼材に取り付けられたボルトのうちの当接ロッドの側に位置する第１ボルトに螺着し、設置スペースに設置されて第１螺着ロッドから縦方向へ並ぶ第２〜第ｎ螺着ロッドの先端部を第１ボルトから斜め方向へ並ぶ第２〜第ｎボルトに螺着する型枠板固定器具は、コーナー（角部）において鋼材を連結する場合、鋼材において連結ボルトが斜め方向へ並ぶ場合があるが、支持プレートを斜めに傾斜させ、鋼材において斜め方向に並ぶ第１〜第ｎ連結ボルトに設置スペースに設置されて縦方向に並ぶ第１〜第ｎ螺着ロッドの先端部を螺着することで、それら螺着ロッドを介して型枠板固定器具が複数の連結ボルトに連結され、コーナーにおける鋼材に型枠板固定器具を確実に固定することができる。型枠板固定器具は、型枠板固定器具がコーナーにおける鋼材に確実に固定されるから、コーナーに配置された型枠板を支持プレートと鋼材との間に確実に固定することができる。
【００２８】
支持プレートを斜めに傾斜させた状態の少なくとも２つの型枠板固定器具を縦方向または横方向へ並べ、それら型枠板固定器具を鋼材に設置する型枠板固定器具は、支持プレートを斜め方向へ傾斜させた状態の少なくとも２つの型枠板固定器具を鋼材に設置することで、それら型枠板固定器具のうちの一方の型枠板固定器具の当接ロッドの先端部が型枠板の外面に密着してその型枠板が鋼材に固定され、それら型枠板固定器具のうちの他方の型枠板固定器具の当接ロッドの先端部が型枠板の外面に密着してその型枠板が鋼材に固定されるから、複数の型枠板固定器具を利用することで、コーナーに配置された型枠板を鋼材に確実に固定することができる。
【００２９】
ボルトが鋼材どうしを連結する連結ボルトであり、ボルトの取り付け位置が鋼材の連結箇所である型枠板固定器具は、螺着ロッドの先端部を鋼材の連結箇所に取り付けられた連結ボルトに螺着すると、当接ロッドの先端部が型枠板の外面に密着して型枠板が鋼材に固定されるから、螺着ロッドの先端部を鋼材の連結箇所に取り付けられた連結ボルトに螺着するだけで、型枠板を鋼材の連結箇所に固定することができ、型枠板を鋼材の連結箇所に手間を要せず短時間に効率よく固定することができる。型枠板固定器具は、螺着ロッドを鋼材の連結箇所に取り付けられた連結ボルトに螺着することで、連結ボルトを利用しつつ型枠板を鋼材の連結箇所に強固に固定することができ、従来技術のようにボルトの締め付け具合を調整する必要はなく、型枠板を鋼材に容易に固定することができる。型枠板固定器具は、鋼材の連結箇所に取り付けられた連結ボルトに対する螺着ロッドの先端部の螺着を解除すると、鋼材に対する型枠板の固定が解除されるから、連結ボルトに対する螺着ロッドの螺着を解除するだけで、鋼材に対する型枠板の固定を容易に解除することができ、鋼材の連結箇所から型枠板を容易に取り外すことができる。
【００３０】
鋼材がＨ形鋼である型枠板固定器具は、一方の型枠板をＨ形鋼の一方のフランジの外面側に配置するとともに一方の型枠板固定器具の支持プレートを一方の型枠板の外面側に配置し、他方の型枠板をＨ形鋼の他方のフランジの外面側に配置するとともに他方の型枠板固定器具の支持プレートを他方の型枠板の外面側に配置した後、一方の型枠板固定器具の設置スペースに設置された螺着ロッドの先端部をＨ形鋼の一方のフランジどうしの連結箇所に取り付けられた連結ボルトに螺着し、他方の型枠板固定器具の設置スペースに設置された螺着ロッドの先端部をＨ形鋼の他方のフランジどうしの連結箇所に取り付けられた連結ボルトに螺着することで、一方の型枠板固定器具の設置スペースに設置された当接ロッドの先端部が一方の型枠板の外面に密着してその型枠板がＨ形鋼の一方のフランジに固定され、他方の型枠板固定器具の設置スペースに設置された当接ロッドの先端部が他方の型枠板の外面に密着してその型枠板がＨ形鋼の他方のフランジに固定されるから、螺着ロッドの先端部をＨ形鋼のフランジどうしの連結箇所に取り付けられた連結ボルトに螺着するだけで、一方の型枠板を一方の型枠板固定器具の支持プレートとＨ形鋼の一方のフランジの外面との間に固定することができるとともに、他方の型枠板を他方の型枠板固定器具の支持プレートとＨ形鋼の他方のフランジの外面との間に固定することができ、型枠板をＨ形鋼に手間を要せず短時間に効率よく固定することができる。
【００３１】
Ｈ形鋼の一方のフランジどうしの連結箇所に取り付けられた連結ボルトに対する一方の型枠板固定器具の螺着ロッドの螺着を解除すると、Ｈ形鋼の一方のフランジに対する一方の型枠板の固定が解除され、Ｈ形鋼の他方のフランジどうしの連結箇所に取り付けられた連結ボルトに対する他方の型枠板固定器具の螺着ロッドの螺着を解除すると、Ｈ形鋼の他方のフランジに対する他方の型枠板の固定が解除される型枠板固定器具は、Ｈ形鋼の一方のフランジどうしの連結箇所に取り付けられた連結ボルトに対する一方の型枠板固定器具の螺着ロッドの先端部の螺着を解除することで、Ｈ形鋼の一方のフランジに対する一方の型枠板の固定を解除することができ、Ｈ形鋼の他方のフランジどうしの連結箇所に取り付けられた連結ボルトに対する他方の型枠板固定器具の螺着ロッドの先端部の螺着を解除することで、Ｈ形鋼の他方のフランジに対する他方の型枠板の固定を解除することができるから、連結ボルトに対する螺着ロッドの螺着を解除するだけで、Ｈ形鋼のフランジに対する型枠板の固定を容易に解除することができ、Ｈ形鋼のフランジどうしの連結箇所から型枠板を容易に取り外すことができる。
【００３２】
Ｈ形鋼のフランジどうしの連結箇所において支持プレートを縦方向へ略直状に起立させた状態で型枠板固定器具を型枠板の外面側に配置し、設置スペースに設置された第１螺着ロッドの先端部を連結箇所に取り付けられた連結ボルトのうちの当接ロッドの側に位置する第１連結ボルトに螺着し、設置スペースに設置されて第１螺着ロッドから縦方向に並ぶ第２〜第ｎ螺着ロッドの先端部を第１連結ボルトから縦方向に並ぶ第２〜第ｎ連結ボルトに螺着し、または、Ｈ形鋼のフランジどうしの連結箇所において支持プレートを横方向へ略直状に寝かせた状態で型枠板固定器具を型枠板の外面側に配置し、設置スペースに設置された第１螺着ロッドの先端部を連結箇所に取り付けられた連結ボルトのうちの当接ロッドの側に位置する第１連結ボルトに螺着し、設置スペースに設置されて第１螺着ロッドから横方向に並ぶ第２〜第ｎ螺着ロッドの先端部を第１連結ボルトから横方向に並ぶ第２〜第ｎ連結ボルトに螺着する型枠板固定器具は、Ｈ形鋼のフランジどうしの連結箇所において縦方向または横方向に並ぶ第１〜第ｎ連結ボルトに設置スペースに設置されて縦方向または横方向に並ぶ第１〜第ｎ螺着ロッドの先端部を螺着することで、それら螺着ロッドを介して型枠板固定器具が複数の連結ボルトに連結され、Ｈ形鋼のフランジどうしの連結箇所に型枠板固定器具を確実に固定することができる。型枠板固定器具は、それがＨ形鋼のフランジどうしの連結箇所に確実に固定されるから、支持プレートとＨ形鋼のフランジとの間に型枠板を確実に固定することができる。
【００３３】
Ｈ形鋼のフランジどうしの連結箇所において支持プレートを斜めに傾斜させた状態で型枠板固定器具を型枠板の外面側に配置し、設置スペースに設置された第１螺着ロッドの先端部をＨ形鋼のフランジどうしの連結箇所に取り付けられた連結ボルトのうちの当接ロッドの側に位置する第１連結ボルトに螺着し、設置スペースに設置されて第１螺着ロッドから縦方向へ並ぶ第２〜第ｎ螺着ロッドの先端部を第１連結ボルトから斜め方向へ並ぶ第２〜第ｎ連結ボルトに螺着する型枠板固定器具は、コーナー（角部）においてＨ形鋼のフランジどうしを連結する場合、その連結箇所において連結ボルトが斜め方向へ並ぶ場合があるが、支持プレートを斜めに傾斜させ、Ｈ形鋼のフランジどうしの連結箇所において斜め方向に並ぶ第１〜第ｎ連結ボルトに設置スペースに設置されて縦方向に並ぶ第１〜第ｎ螺着ロッドの先端部を螺着することで、それら螺着ロッドを介して型枠板固定器具が複数の連結ボルトに連結され、コーナーにおけるＨ形鋼のフランジどうしの連結箇所に型枠板固定器具を確実に固定することができる。型枠板固定器具は、それがコーナーにおけるＨ形鋼のフランジどうしの連結箇所に確実に固定されるから、コーナーに配置された型枠板を支持プレートとＨ形鋼のフランジとの間に確実に固定することができる。
【図面の簡単な説明】
【００３４】
【図１】一例として示す型枠板固定器具の斜視図。
【図２】型枠板固定器具の正面図。
【図３】型枠板固定器具の背面図。
【図４】型枠板固定器具の側面図。
【図５】Ｈ形鋼のフランジの連結箇所に設置した状態で示す型枠板固定器具の側面図。
【図６】Ｈ形鋼のフランジの連結箇所に設置した状態で示す型枠板固定器具の正面図。
【図７】Ｈ形鋼のフランジの連結箇所に設置した状態で示す型枠板固定器具の側面図。
【図８】Ｈ形鋼のフランジの連結箇所に設置した状態で示す型枠板固定器具の正面図。
【発明を実施するための形態】
【００３５】
一例として示す型枠板固定器具１０の斜視図である図１等の添付の図面を参照し、本発明にかかる型枠板固定器具の詳細を説明すると、以下のとおりである。なお、図２は、型枠板固定器具１０の正面図であり、図３は、型枠板固定器具１０の背面図である。図４は、型枠板固定器具１０の側面図である。図１では、縦方向を矢印Ａ、横方向の矢印Ｂで示し、前後方向を矢印Ｃで示す。
【００３６】
型枠板固定器具１０は、その一例として、後記するＨ形鋼（鋼材）と既設の建物（コンクリート構造物）の柱や梁とを一体化する耐震補強の施工において利用され、Ｈ形鋼のフランジどうしの連結箇所における型枠板の固定に使用される。なお、型枠板固定器具１０は、Ｈ形鋼のみならず、Ｉ形鋼やＴ形鋼、山形鋼、溝形鋼、Ｚ形鋼等に型枠板を固定する場合にも使用することができる。また、鋼材には、形鋼のみならず、各種の鉄骨ブレースや各種の増設フレーム等が含まれる。型枠板固定器具１０は、Ｈ形鋼のフランジどうしの連結箇所のみならず、連結箇所以外の箇所において型枠板を固定する場合にも使用することができる。
【００３７】
型枠板固定器具１０は、縦方向へ延びる支持プレート１１（支持部材）と、縦方向へ延びる設置スペース１２と、螺着ロッド１３（螺着部材）および当接ロッド１４（当接部材）とから形成されている。支持プレート１１（支持部材）は、第１プレート部材１１ａおよび第２プレート部材１１ｂから形成されている。第１支持プレート１１ａと第２支持プレート１１ｂとは、同形同大であり、縦方向の長さ寸法が同一である。なお、第１および第２支持プレート１１ａ，１１ｂの縦方向の長さ寸法に制限はなく、固定する型枠板の大きさに応じてその長さ寸法を自由に変更することができる。
【００３８】
第１プレート部材１１ａは、第２プレート部材１１ｂに対して横方向へ所定寸法離間対向し、第２プレート部材１１ｂに並行して縦方向へ延びている。第１プレート部材１１ａは、鉄やアルミ、ステンレス等の金属から作られ、その断面形状がＬ字状に成形されている。第１プレート部材１１ａは、上端部１５および下端部１７と、それら端部１５，１７の間に延びる中間部１６とを有する。第１プレート部材１１ａは、横方向に張り出して縦方向へ延びる第１支持部分１８と、第１支持部分１８の側縁につながり、前後方向に張り出して縦方向へ延びる第１補強部分１９とを有する。第１支持部分１８と第１補強部分１９とは、一体に成形され、ひとつながりになっている。
【００３９】
第２支持プレート１１ｂは、第１支持プレート１１ａに対して横方向へ所定寸法離間対向し、第１支持プレート１１ａに並行して縦方向へ延びている。第２支持プレート１１ｂは、鉄やアルミ、ステンレス等の金属から作られ、その断面形状がＬ字状に成形されている。第２支持プレート１１ｂは、上端部１５および下端部１７と、それら端部１５，１７の間に延びる中間部１６とを有する。第２プレート部材１１ｂは、横方向に張り出して縦方向へ延びる第２支持部分２０と、第２支持部分２０の側縁につながり、前後方向に張り出して縦方向へ延びる第２補強部分２１とを有する。第２支持部分２０と第２補強部分２１とは、一体に成形され、ひとつながりになっている。
【００４０】
第１および第２支持プレート１１ａ，１１ｂの第１および第２補強部分１９，２１の間であってそれら支持プレート１１ａ，１１ｂの上端部１５には、前後方向へ延びる第１連結ピン２２ａが介在している。第１連結ピン２２ａは、それら支持プレート１１ａ，１１ｂの上端部１５における第１および第２補強部分１９，２１に溶接固定されている。第１および第２支持プレート１１ａ，１１ｂの第１および第２補強部分１９，２１の間であってそれら支持プレート１１ａ，１１ｂの中間部１６には、前後方向へ延びる第２連結ピン２２ｂが介在している。第２連結ピン２２ｂは、それら支持プレート１１ａ，１１ｂの中間部１６における第１および第２補強部分１９，２１に溶接固定されている。
【００４１】
第１および第２支持プレート１１ａ，１１ｂの第１および第２補強部分１９，２１の間であってそれら支持プレート１１ａ，１１ｂの下端部１７には、前後方向へ延びる第３連結ピン２２ｃが介在している。第３連結ピン２２ｃは、それら支持プレート１１ａ，１１ｂの下端部１７における第１および第２補強部分１９，２１に溶接固定されている。第１支持プレート１１ａと第２支持プレート１１ｂとは、第１補強部分１９と第２補強部分２１とが対向した状態で、それらの上下端部１５，１７や中間部１６に溶接固定された各連結ピン２２ａ〜２２ｃによって連結されている。
【００４２】
設置スペース１２は、第１および第２支持プレート１１ａ，１１ｂの間であって支持プレート１１の略横方向中央に形成されて縦方向へ延びている。設置スペース１２は、第１〜第３連結ピン２２ａ〜２２ｃによって縦方向に分割され、第１連結ピン２２ａと第２連結ピン２２ｂとの間に延びる第１設置スペース１２ａと、第２連結ピン２２ｂと第３連結ピン２２ｃとの間に延びる第２設置スペース１２ｂとに区分されている。
【００４３】
螺着ロッド１３（螺着部材）は、第１設置スペース１２ａと第２設置スペース１２ｂとに回転可能に設置されて前後方向へ延びている。図１〜図４では、設置スペース１２に２つの螺着ロッド１３が設置されているが、螺着ロッド１３の数に特に限定はなく、１つの螺着ロッド１３が設置スペース１２に設置されていてもよく、３つ以上の螺着ロッド１３が設置スペース１２に設置されていてもよい。螺着ロッド１３は、前後方向へ延びる螺着ボルト２３と、螺着ボルト２３に固定された第１固定ナット２４（固定部材）および第２固定ナット２５（螺子部材）と、螺着ボルト２３に螺着された螺着ナット２６（長さ調節部材）とから形成されている。
【００４４】
螺着ボルト２３は、鉄やアルミ、ステンレス等の金属から作られ、その断面形状が略円形に成形されている。螺着ボルト２３は、第１および第２設置スペース１２ａ，１２ｂに回転可能に挿通されている。螺着ボルト２３は、支持プレート１１から前後方向前方へ延出（露出）する先端部２７と、支持プレート１１から前後方向後方へ延出（露出）する後端部２９と、それら端部２７，２９の間に延びる中間部２８とを有する。螺着ボルト２３は、その全域（先端部２７、中間部２８、後端部２９）に螺子が形成されている。
【００４５】
第１および第２固定ナット２４，２５は、鉄やアルミ、ステンレス等の金属から作られている。第１固定ナット２４は、その大きさが第２固定ナット２５のそれよりも小さい。第１固定ナット２４は、ワッシャ３０とともに螺着ボルト２３の先端部２７に螺着された後、螺着ボルト２３の先端部２７に溶接固定されている。第２固定ナット２５は、第１固定ナット２４の前後方向前方に配置され、第１固定ナット２４の先端に溶接固定されている。第２固定ナット２５の雌ネジが形成された開口螺着部３１は、螺着ボルト２３の先端部２７（第１固定ナット２４の先端）から前方へ延出（露出）している。螺着ナット２６は、鉄やアルミ、ステンレス等の金属から作られ、ワッシャ３２を介在させた状態で螺着ボルト２３の後端部２９に螺着されている。
【００４６】
螺着ロッド１３（螺着部材）は、設置スペース１２（第１および第２設置スペース１２ａ，１２ｂ）に沿って縦方向へ移動可能である。したがって、縦方向へ延びる設置スペース１２において螺着ロッド１３の設置位置を適宜変更することができる。また、螺着ボルト２３の後端部２９に対する螺着ナット２６の螺着位置を変更することで、螺着ボルト２３（螺着ロッド１３）の先端部２７の設置スペース１２（支持プレート１１）から前後方向前方への延出（露出）寸法を調節可能である。なお、螺着ボルト２３の後端部２９から螺着ナット２６を取り外すことで、螺着ロッド１３（螺着ボルト２３および固定ナット２４，２５）を設置スペース１２から抜き取ることができる。
【００４７】
螺着ナット２６が反時計回りに回転し、螺着ボルト２３の後端部２９に対する螺着ナット２６の螺着位置が後方へ移動することで、螺着ボルト２３（螺着ロッド１３）の先端部２７の設置スペース１２（支持プレート１１）から前後方向前方への露出寸法が長くなり、螺着ナット２６が時計回りに回転し、螺着ボルト２３の後端部２９に対する螺着ナット２６の螺着位置が前方へ移動することで、螺着ボルト２３（螺着ロッド１３）の先端部２７の設置スペース１２（支持プレート１１）から前後方向前方への露出寸法が短くなる。
【００４８】
当接ロッド１４（当接部材）は、第１設置スペース１２ａに回転可能に設置されて前後方向へ延びている。図１〜図３では、設置スペース１２に１つの当接ロッド１４が設置されているが、当接ロッド１４の数に特に限定はなく、２つ以上の当接ロッド１４が設置スペース１２に設置されていてもよい。当接ロッド１４は、前後方向へ延びる当接ボルト３３と、当接ボルト３３に固定された当接カップ３４（先端部）と、当接ボルト３３に螺着された螺着ナット３５（長さ調節部材）とから形成されている。
【００４９】
当接ボルト３３は、鉄やアルミ、ステンレス等の金属から作られ、その断面形状が略円形に成形されている。当接ボルト３３は、第２設置スペース１２ｂに回転可能に挿通されている。当接ボルト３３は、支持プレート１１から前後方向前方へ延出（露出）する先端部３６と、支持プレート１１から前後方向後方へ延出（露出）する後端部３８と、それら端部３６，３８の間に延びる中間部３７とを有する。当接ボルト３３は、その全域（先端部３６、中間部３７、後端部３８）に螺子が形成されている。当接カップ３４は、鉄やアルミ、ステンレス等の金属から作られ、当接ボルト３３の先端部３６に溶接固定されている。螺着ナット３５は、鉄やアルミ、ステンレス等の金属から作られ、ワッシャ３２を介在させた状態で当接ボルト３３の後端部３８に螺着されている。
【００５０】
当接ロッド１４は、設置スペース１２（第１および第２設置スペース１２ａ，１２ｂ）に沿って縦方向へ移動可能である。したがって、縦方向へ延びる設置スペース１２において当接ロッド１４の設置位置を適宜変更可能である。また、当接ボルト３３の後端部３８に対する螺着ナット３５の螺着位置を変更することで、当接ボルト３３（当接ロッド１４）の先端部３６の設置スペース１２（支持プレート１１）から前後方向前方への露出寸法を調節可能である。なお、当接ボルト３３の後端部３８から螺着ナット３５を取り外すことで、当接ロッド１４（当接ボルト３３および当接カップ３４）を設置スペース１２から抜き取ることができる。
【００５１】
螺着ナット３５が反時計回りに回転し、当接ボルト３３の後端部３８に対する螺着ナット３５の螺着位置が後方へ移動することで、当接ボルト３３（当接ロッド１４）の先端部３６の設置スペース１２（支持プレート１１）から前後方向前方への露出寸法が長くなり、螺着ナット３５が時計回りに回転し、当接ボルト３３の後端部３８に対する螺着ナット３５の螺着位置が前方へ移動することで、当接ボルト３３（当接ロッド１４）の先端部３６の設置スペース１２（支持プレート１１）から前後方向前方への露出寸法が短くなる。
【００５２】
図５は、Ｈ形鋼３９のフランジ４０ａ，４０ｂの連結箇所４１に設置した状態で示す型枠板固定器具１０の側面図であり、図６は、Ｈ形鋼３９のフランジ４０ａ，４０ｂの連結箇所４１に設置した状態で示す型枠板固定器具１０の正面図である。図５では、横方向へ並ぶ２つの型枠板固定器具１０を図示しているが、型枠板固定器具１０の数にときに制限はなく、連結箇所４１に１つの型枠板固定器具１０が設置されてもよく、連結箇所４１に３つ以上の型枠板固定器具１０が設置されてもよい。型枠板固定器具１０を使用してＨ形鋼３９のフランジ４０ａ，４０ｂどうしの連結箇所４１に型枠板４２ａ，４２ｂを固定する手順の一例は、以下のとおりである。
【００５３】
なお、Ｈ形鋼３９の連結箇所４１におけるフランジ４０ａ，４０ｂには、複数のボルト孔が穿孔されている。Ｈ形鋼３９の連結箇所４１では、Ｈ形鋼３９のフランジ４０ａ，４０ｂの先端どうしが当接し、複数のボルト孔が穿孔された添接板４３がそれらフランジ４０ａ，４０ｂの両側に配置され、フランジ４０ａ，４０ｂおよび添接板４３のボルト孔に連結ボルト４４（ボルト）が挿通（螺着）され、連結ボルト４４に六角ナット４５が螺着されることで、添接板４３を介してＨ形鋼３９のフランジ４０ａ，４０ｂどうしが強固に連結されている。連結箇所４１に固定された（取り付けられた）連結ボルト４４は、その螺子部（雄螺子）の一部分が六角ナット４５から外方へ露出している。
【００５４】
最初に、一方の型枠板４２ａをＨ形鋼３９の一方のフランジ４０ａの外面側に配置し、支持プレート１１（第１および第２プレート部材１１ａ，１１ｂ）を縦方向へ略直状に起立させた状態で一方の型枠板固定器具１０をその型枠板４２ａの外面側に配置する。それら螺着ロッド１３を設置スペース１２（第１および第２設置スペース１２ａ，１２ｂ）に沿って縦方向へ移動させ、Ｈ形鋼３９のフランジ４０ａどうしの連結箇所４１に固定されて縦方向へ並ぶ連結ボルト４４の螺子部に第２固定ナット２５の開口螺着部３１を位置させるとともに、当接ロッド１４を設置スペース１２（第１設置スペース１２ａ）に沿って縦方向へ移動させ、一方の型枠板４２ａの外面に当接カップ３５を位置させる。
【００５５】
次に、当接ロッド１４の側に位置する螺着ロッド１３（第１螺着ロッド）の螺着ボルト２３を時計回り方向へ回転させ、第２固定ナット２５の開口螺着部３１の雌ネジを連結ボルト４４（第１連結ボルト）の螺子部に螺着するとともに、縦方向へ並ぶ螺着ロッド１３（第２〜第ｎ螺着ロッド）の螺着ボルト２３を時計回り方向へ回転させ、第２固定ナット２５の開口螺着部３１の雌ネジを連結ボルト４４（第２〜第ｎ連結ボルト）の螺子部に螺着する。
【００５６】
第２固定ナット２５の開口螺着部３１の雌ネジを連結ボルト４４（第１〜第ｎ連結ボルト）の螺子部に螺着した後、螺着ロッド１３（第１〜第ｎ螺着ロッド）の螺着ボルト２３に螺着された螺着ナット２６を時計回り方向へ回転させ、螺着ナット２６を一方の型枠板固定器具１０の支持プレート１１（第１および第２プレート部材１１ａ，１１ｂの第１および第２補強部分１９，２１）に密着させる。縦方向へ起立する支持プレート１１は、第１固定ナット２４と螺着ナット２６とに挟まれた状態で固定される。
【００５７】
当接ボルト３３に螺着された螺着ナット３５を時計回り方向へ回転させ、螺着ナット３５を一方の型枠板固定器具１０の支持プレート１１（第１および第２プレート部材１１ａ，１１ｂの第１および第２支持部分１８，２０）に密着させ、当接ロッド１４（当接部材）の当接カップ３４（先端部）を一方の型枠板４２ａの外面に密着させる。一方の型枠板固定器具１０の支持プレート１１の設置スペース１２に設置された当接ロッド１４の当接カップ３４が一方の型枠板４２ａの外面に密着することで、その型枠板４２ａがＨ形鋼３９の一方のフランジ４０ａに強固に固定される。
【００５８】
他方の型枠板４２ｂをＨ形鋼３９の他方のフランジ４０ｂの外面側に配置し、支持プレート１１（第１および第２プレート部材１１ａ，１１ｂ）を縦方向へ略直状に起立させた状態で他方の型枠板固定器具１０をその型枠板４２ｂの外面側に配置する。それら螺着ロッド１３を設置スペース１２（第１および第２設置スペース１２ａ，１２ｂ）に沿って縦方向へ移動させ、Ｈ形鋼３９のフランジ４０ｂどうしの連結箇所４１に固定されて縦方向へ並ぶ連結ボルト４４の螺子部に第２固定ナット２５の開口螺着部３１を位置させるとともに、当接ロッド１４を設置スペース１２（第１設置スペース１２ａ）に沿って縦方向へ移動させ、他方の型枠板４２ｂの外面に当接カップ３５を位置させる。
【００５９】
次に、当接ロッド１４の側に位置する螺着ロッド１３（第１螺着ロッド）の螺着ボルト２３を時計回り方向へ回転させ、第２固定ナット２５の開口螺着部３１の雌ネジを連結ボルト４４（第１連結ボルト）の螺子部に螺着するとともに、縦方向へ並ぶ螺着ロッド１３（第２〜第ｎ螺着ロッド）の螺着ボルト２３を時計回り方向へ回転させ、第２固定ナット２５の開口螺着部３１の雌ネジを連結ボルト４４（第２〜第ｎ連結ボルト）の螺子部に螺着する。
【００６０】
第２固定ナット２５の開口螺着部３１の雌ネジを連結ボル４４（第１〜第ｎ連結ボルト）の螺子部に螺着した後、螺着ロッド１３（第１〜第ｎ螺着ロッド）の螺着ボルト２３に螺着された螺着ナット２６を時計回り方向へ回転させ、螺着ナット２６を他方の型枠板固定器具１０の支持プレート１１（第１および第２プレート部材１１ａ，１１ｂの第１および第２補強部分１９，２１）に密着させる。縦方向へ起立する支持プレート１１は、第１固定ナット２４と螺着ナット２６とに挟まれた状態で固定される。
【００６１】
当接ボルト３３に螺着された螺着ナット３５を時計回り方向へ回転させ、螺着ナット３５を他方の型枠板固定器具１０の支持プレート１１（第１および第２プレート部材１１ａ，１１ｂの第１および第２支持部分１８，２０）に密着させ、当接ロッド１４（当接部材）の当接カップ３４（先端部）を他方の型枠板４２ｂの外面に密着させる。他方の型枠板固定器具１０の支持プレート１１の設置スペース１２に設置された当接ロッド１４の当接カップ３４が他方の型枠板４２ｂの外面に密着することで、その型枠板４２ｂがＨ形鋼３９の他方のフランジ４０ｂに強固に固定される。
【００６２】
なお、図示はしていないが、支持プレート１１（第１および第２プレート部材１１ａ，１１ｂ）を横方向へ略直状に寝かせた状態で一方の型枠板固定器具１０をその型枠板４２ａの外面側に配置し、支持プレート１１（第１および第２プレート部材１１ａ，１１ｂ）を横方向へ略直状に寝かせた状態で他方の型枠板固定器具１０をその型枠板４２ｂの外面側に配置する場合もある。また、Ｈ形鋼３９のフランジ４０ａ，４０ｂどうしの連結箇所４１以外の箇所において型枠板４２ａ，４２ｂを固定する場合は、連結箇所４１以外の箇所に挿通（螺着）されたボルトの螺子部に第２固定ナット２５の開口螺着部３１の雌ネジを螺着する。
【００６３】
型枠板固定器具１０を使用してＨ形鋼３９のフランジ４０ａ，４０ｂどうしの連結箇所４１に型枠板４２ａ，４２ｂの固定した後、型枠板４２ａ，４２ｂの間の空間４６にコンクリート（図示せず）を打設する。空間４６に打設したコンクリートの養生期間が経過し、コンクリートが硬化した後、型枠板４２ａ，４２ｂをＨ形鋼３９のフランジ４０ａ，４０ｂから取り外す。型枠板４２ａ，４２ｂをＨ形鋼３９のフランジ４０ａ，４０ｂから取り外す手順の一例は、以下のとおりである。
【００６４】
型枠板４２ａ，４２ｂがＨ形鋼３９のフランジ４０ａ，４０ｂに固定された図５，６の状態において、それら螺着ロッド１３の螺着ボルト２３に螺着された螺着ナット２６を反時計回り方向へ回転させ、一方の型枠板固定器具１０の支持プレート１１（第１および第２プレート部材１１ａ，１１ｂの第１および第２補強部分１９，２１）に対する螺着ナット２６の密着を解除した後、それら螺着ロッド１３（第１〜第ｎ螺着ロッド）の螺着ボルト２３を反時計回り方向へ回転させ、連結ボルト４４（第１〜第ｎ連結ボルト）の螺子部に対する第２固定ナット２５の開口螺着部３１の螺着を解除する。
【００６５】
さらに、それら螺着ロッド１３の螺着ボルト２３に螺着された螺着ナット２６を反時計回り方向へ回転させ、他方の型枠板固定器具１０の支持プレート１１（第１および第２プレート部材１１ａ，１１ｂの第１および第２補強部分１９，２１）に対する螺着ナット２６の密着を解除した後、それら螺着ロッド１３（第１〜第ｎ螺着ロッド）の螺着ボルト２３を反時計回り方向へ回転させ、連結ボルト４４（第１〜第ｎ連結ボルト）の螺子部に対する第２固定ナット２５の開口螺着部３１の螺着を解除する。
【００６６】
連結ボルト３７の螺子部に対する第２固定ナット２５の開口螺着部３１の螺着を解除すると、螺着ロッド１３と連結ボルト４４との連結が解除され、Ｈ形鋼３９のフランジ４０ａ，４０ｂどうしの連結箇所４１とそれら型枠板固定器具１０との連結が解除されるとともに、当接ロッド１４の当接カップ３４が型枠板４２ａ，４２ｂの外面から離間し、それら型枠板４２ａ，４２ｂから型枠板固定器具１０を取り外すとともに、コンクリートからそれら型枠板４２ａ，４２ｂを取り外す。
【００６７】
型枠板固定器具１０は、一方の型枠板４２ａをＨ形鋼３９の一方のフランジ４０ａの外面側に配置するとともに一方の型枠板固定器具１０の支持プレート１１（支持部材）を一方の型枠板４２ａの外面側に配置し、他方の型枠板４２ｂをＨ形鋼３９の他方のフランジ４０ｂの外面側に配置するとともに他方の型枠板固定器具１０の支持プレート１１を他方の型枠板４０ｂの外面側に配置した後、一方の支持プレート１１の設置スペース１２に設置された螺着ロッド１３（螺着部材）の第２固定ナット２５（先端部）の雌ネジをＨ形鋼３９の一方のフランジ４０ａどうしの連結箇所４１に設置された連結ボルト４４の螺子部に螺着し、他方の支持プレート１１の設置スペース１２に設置された螺着ロッド１３（螺着部材）の第２固定ナット２５（先端部）をＨ形鋼３９の他方のフランジ４０ｂどうしの連結箇所４１に設置された連結ボルト４４の螺子部に螺着することで、一方の支持プレート１１の設置スペース１２に設置された当接ロッド１４（当接部材）の当接カップ３４（先端部）が一方の型枠板４２ａの外面に密着してその型枠板４２ａがＨ形鋼３９の一方のフランジ４０ａに固定され、他方の支持プレート１１の設置スペース１２に設置された当接ロッド１４（当接部材）の当接カップ３４（先端部）が他方の型枠板４２ｂの外面に密着してその型枠板４２ｂがＨ形鋼３９の他方のフランジ４０ｂに固定されるから、螺着ロッド１４の第２固定ナット２５をＨ形鋼３９のフランジ４０ａ，４０ｂどうしの連結箇所４１に取り付けられて縦方向へ並ぶ連結ボルト４４に螺着するだけで、一方の型枠板４２ａを一方の型枠板固定器具１０の支持プレート１１とＨ形鋼３９の一方のフランジ４０ａの外面との間に固定することができるとともに、他方の型枠板４２ｂを他方の型枠板固定器具１０の支持プレート１１とＨ形鋼３９の他方のフランジ４０ｂの外面との間に固定することができ、型枠板４２ａ，４２ｂをＨ形鋼３９に手間を要せず短時間に効率よく固定することができる。
【００６８】
型枠板固定器具１０は、螺着ロッド１３（螺着部材）をＨ形鋼３９のフランジ４０ａ，４０ｂどうしの連結箇所４１に取り付けられて縦方向へ並ぶ複数の連結ボルト４４に螺着することで、それら連結ボルト４４を利用しつつ型枠板４２ａ，４２ｂをＨ形鋼３９に強固に固定することができ、従来技術のようにボルトの締め付け具合を調整する必要はなく、型枠板４２ａ，４２ｂをＨ形鋼３９に容易に固定することができる。また、支持プレート１１を縦方向へ略直状に起立させた状態で横方向へ並ぶ複数の型枠板固定器具１０をＨ形鋼３９に設置することで、それら型枠板固定器具１０の当接ボルト３３の当接カップ３４（先端部）が型枠板４２ａ，４２ｂの外面に密着してそれら型枠板４２ａ，４２ｂがＨ形鋼３９のフランジ４０ａ，４０ｂに固定されるから、複数の型枠板固定器具１０を利用することで、それら型枠板４２ａ，４２ｂをＨ形鋼３９のフランジ４０ａ，４０ｂに確実に固定することができる。
【００６９】
型枠板固定器具１０は、Ｈ形鋼３９のフランジ４０ａ，４０ｂどうしの連結箇所４１に設置された連結ボルト４４に対する螺着ロッド１３の第２固定ナット２５（先端部）の螺着を解除すると、Ｈ形鋼３９のフランジ４０ａ，４０ｂどうしの連結箇所４１に対するそれら型枠板固定器具１０の連結が解除されるとともに、Ｈ形鋼３９のフランジ４０ａ，４０ｂに対する型枠板４２ａ，４２ｂの固定が解除されるから、連結ボルト４４に対する螺着ロッド１３の螺着を解除するだけで、Ｈ形鋼３９に対する型枠板４２ａ，４２ｂの固定を容易に解除することができ、Ｈ形鋼３９から型枠板４２ａ，４２ｂを容易に取り外すことができる。
【００７０】
型枠板固定器具１０は、それら螺着ロッド１３（螺着部材）を設置スペース１２において縦方向へ移動させて支持プレート１１の設置スペース１２における螺着ロッド１３の設置位置を変更することで、Ｈ形鋼３９のフランジ４０ａ，４０ｂどうしの連結箇所４１に設置された連結ボルト４４の位置に螺着ロッド１３を移動させることができ、螺着ロッド１３の第２固定ナット２５（先端部）を連結ボルト４４に確実に螺着することができる。
【００７１】
型枠板固定器具１０は、当接ロッド１４（当接部材）を設置スペース１２において縦方向へ移動させて設置スペース１２における当接ロッド１４の設置位置を変更することで、型枠板４２ａ，４２ｂの位置に当接ロッド１４を移動させることができ、当接ロッド１４の当接カップ３４（先端部）を型枠板４２ａ，４２ｂの外面に確実に密着させることができる。型枠板固定器具１０は、設置スペース１２における螺着ロッド１３の設置位置を変更することで、螺着ロッド１３の第２固定ナット２５を連結ボルト４４に確実に螺着することができ、設置スペース１２における当接ロッド１４の設置位置を変更することで、当接ロッド１４の当接カップ３４を型枠板４２ａ，４２ｂの外面に確実に密着させることができるから、型枠板４２ａ，４２ｂを支持プレート１１とＨ形鋼３９のフランジ４０ａ，４０ｂの外面との間に確実に固定することができる。
【００７２】
型枠板固定器具１０は、型枠板４２ａ，４２ｂの厚み寸法が小さい場合、螺着ロッド１３（螺着部材）の第２固定ナット２５（先端部）の設置スペース１２から前後方向前方への露出寸法を大きくし、当接ロッド１４（当接部材）の当接カップ３４（先端部）の設置スペース１２から前後方向前方への露出寸法を大きくすることで、螺着ロッド１３の第２固定ナット２５を連結ボルト４４に確実に螺着することができ、当接ロッド１４の当接カップ３４を型枠板４２ａ，４２ｂの外面に確実に密着させることができるとともに、厚み寸法が小さい型枠板４２ａ，４２ｂを支持プレート１１とＨ形鋼３９のフランジ４０ａ，４０ｂの外面との間に確実に固定することができる。
【００７３】
逆に、型枠板４２ａ，４２ｂの厚み寸法が大きい場合、螺着ロッド１３の第２固定ナット２５（先端部）の設置スペース１２から前後方向前方への露出寸法を小さくし、当接ロッド１４の当接カップ３４の設置スペース１２から前後方向前方への露出寸法を小さくすることで、螺着ロッド１３の第２固定ナット２５を連結ボルト４４に確実に螺着することができ、当接ロッド１４の当接カップ３４を型枠板４２ａ，４２ｂの外面に確実に密着させることができるとともに、厚み寸法が大きい型枠板４２ａ，４２ｂを支持プレート１１とＨ形鋼３９のフランジ４２ａ，４２ｂの外面との間に確実に固定することができる。
【００７４】
図７は、Ｈ形鋼３９のフランジ４０ａ，４０ｂの連結箇所４１に設置した状態で示す型枠板固定器具１０の側面図であり、図８は、Ｈ形鋼３９のフランジ４０ａ，４０ｂの連結箇所４１に設置した状態で示す型枠板固定器具１０の正面図である。図７では、縦方向または横方向へ並ぶ２つの型枠板固定器具１０を図示しているが、型枠板固定器具１０の数にときに制限はなく、連結箇所４１に１つの型枠板固定器具１０が設置されてもよく、連結箇所４１に３つ以上の型枠板固定器具１０が設置されてもよい。図７，８では、コーナー（角部）においてＨ形鋼３９のフランジ４０ａ，４０ｂどうしが連結され、そのコーナーの連結箇所４１に型枠板４２ａ，４２ｂが固定されている。
【００７５】
一方の型枠板４２ａをＨ形鋼３９の一方のフランジ４０ａの外面側に配置し、支持プレート１１（第１および第２プレート部材１１ａ，１１ｂ）を斜め方向へ傾斜させた状態で一方の型枠板固定器具１０をその型枠板４２ａの外面側に配置する。それら螺着ロッド１３を設置スペース１２（第１および第２設置スペース１２ａ，１２ｂ）に沿って縦方向へ移動させ、Ｈ形鋼３９のフランジ４０ａどうしの連結箇所４１に固定されて斜め方向へ並ぶ連結ボルト４４の螺子部に第２固定ナット２５の開口螺着部３１を位置させるとともに、当接ロッド１４を設置スペース１２（第１設置スペース１２ａ）に沿って縦方向へ移動させ、一方の型枠板４２ａの外面に当接カップ３５を位置させる。
【００７６】
当接ロッド１４の側に位置する螺着ロッド１３（第１螺着ロッド）の螺着ボルト２３を時計回り方向へ回転させ、第２固定ナット２５の開口螺着部３１の雌ネジを連結ボルト４４（第１連結ボルト）の螺子部に螺着するとともに、斜め方向へ並ぶ螺着ロッド１３（第２〜第ｎ螺着ロッド）の螺着ボルト２３を時計回り方向へ回転させ、第２固定ナット２５の開口螺着部３１の雌ネジを連結ボルト４４（第２〜第ｎ連結ボルト）の螺子部に螺着する。
【００７７】
第２固定ナット２５の開口螺着部３１の雌ネジを連結ボルト４４（第１〜第ｎ連結ボルト）の螺子部に螺着した後、螺着ロッド１３（第１〜第ｎ螺着ロッド）の螺着ボルト２３に螺着された螺着ナット２６を時計回り方向へ回転させ、螺着ナット２６を一方の型枠板固定器具１０の支持プレート１１（第１および第２プレート部材１１ａ，１１ｂの第１および第２補強部分１９，２１）に密着させる。斜め方向へ傾斜する支持プレート１１は、第１固定ナット２４と螺着ナット２６とに挟まれた状態で固定される。
【００７８】
当接ボルト３３に螺着された螺着ナット３５を時計回り方向へ回転させ、螺着ナット３５を一方の型枠板固定器具１０の支持プレート１１（第１および第２プレート部材１１ａ，１１ｂの第１および第２支持部分１８，２０）に密着させ、当接ロッド１４の当接カップ３４を一方の型枠板４２ａの外面に密着させる。一方の型枠板固定器具１０の支持プレート１１の設置スペース１２に設置された当接ロッド１４の当接カップ３４が一方の型枠板４２ａの外面に密着することで、その型枠板４２ａがコーナーに位置するＨ形鋼３９の一方のフランジ４０ａに強固に固定される。
【００７９】
他方の型枠板４２ｂをＨ形鋼３９の他方のフランジ４０ｂの外面側に配置し、支持プレート１１（第１および第２プレート部材１１ａ，１１ｂ）を斜め方向へ傾斜させた状態で他方の型枠板固定器具１０をその型枠板４２ｂの外面側に配置する。それら螺着ロッド１３を設置スペース１２（第１および第２設置スペース１２ａ，１２ｂ）に沿って縦方向へ移動させ、Ｈ形鋼３９のフランジ４０ｂどうしの連結箇所４１に固定されて斜め方向へ並ぶ連結ボルト４４の螺子部に第２固定ナット２５の開口螺着部３１を位置させるとともに、当接ロッド１４を設置スペース１２（第１設置スペース１２ａ）に沿って縦方向へ移動させ、他方の型枠板４２ｂの外面に当接カップ３５を位置させる。
【００８０】
当接ロッド１４の側に位置する螺着ロッド１３（第１螺着ロッド）の螺着ボルト２３を時計回り方向へ回転させ、第２固定ナット２５の開口螺着部３１の雌ネジを連結ボルト４４（第１連結ボルト）の螺子部に螺着するとともに、斜め方向へ並ぶ螺着ロッド１３（第２〜第ｎ螺着ロッド）の螺着ボルト２３を時計回り方向へ回転させ、第２固定ナット２５の開口螺着部３１の雌ネジを連結ボルト４４（第２〜第ｎ連結ボルト）の螺子部に螺着する。
【００８１】
第２固定ナット２５の開口螺着部３１の雌ネジを連結ボル４４（第１〜第ｎ連結ボルト）の螺子部に螺着した後、螺着ロッド１３（第１〜第ｎ螺着ロッド）の螺着ボルト２３に螺着された螺着ナット２６を時計回り方向へ回転させ、螺着ナット２６を他方の型枠板固定器具１０の支持プレート１１（第１および第２プレート部材１１ａ，１１ｂの第１および第２補強部分１９，２１）に密着させる。斜め方向へ傾斜する支持プレート１１は、第１固定ナット２４と螺着ナット２６とに挟まれた状態で固定される。
【００８２】
当接ボルト３３に螺着された螺着ナット３５を時計回り方向へ回転させ、螺着ナット３５を他方の型枠板固定器具１０の支持プレート１１（第１および第２プレート部材１１ａ，１１ｂの第１および第２支持部分１８，２０）に密着させ、当接ロッド１４の当接カップ３４を他方の型枠板４２ｂの外面に密着させる。他方の型枠板固定器具１０の支持プレート１１の設置スペース１２に設置された当接ロッド１４の当接カップ３４が他方の型枠板４２ｂの外面に密着することで、その型枠板４２ｂがコーナーに位置するＨ形鋼３９の他方のフランジ４０ｂに強固に固定される。
【００８３】
なお、Ｈ形鋼３９のフランジ４０ａ，４０ｂどうしの連結箇所４１以外の箇所において型枠板４２ａ，４２ｂを固定する場合は、連結箇所４１以外の箇所に挿通（螺着）されたボルトの螺子部に第２固定ナット２５の開口螺着部３１の雌ネジを螺着する。空間４６に打設したコンクリートの養生期間が経過し、コンクリートが硬化した後、型枠板４２ａ，４２ｂをＨ形鋼３９のフランジ４０ａ，４０ｂから取り外す。型枠板４２ａ，４２ｂをＨ形鋼３９のフランジ４０ａ，４０ｂから取り外す手順は、図５，６のそれと同一である。
【００８４】
コーナー（角部）においてＨ形鋼３９のフランジ４０ａ，４０ｂどうしを連結する場合、その連結箇所４１において連結ボルト４４が斜め方向へ並ぶ場合があるが、型枠板固定器具１０は、支持プレート１１を斜めに傾斜させ、Ｈ形鋼３９のフランジ４０ａ，４０ｂどうしの連結箇所４１において斜め方向に並ぶ連結ボルト４４（第１〜第ｎ連結ボルト）に設置スペース１２に設置されて縦方向に並ぶ螺着ロッド１３（第１〜第ｎ螺着ロッド）の第２固定ナット２５（先端部）を螺着することで、それら螺着ロッド１３を介して型枠板固定器具１０が複数の連結ボルト４４に連結され、コーナーにおけるＨ形鋼３９のフランジ４０ａ，４０ｂどうしの連結箇所４１に型枠板固定器具１０を確実に固定することができる。型枠板固定器具１０は、それがコーナーにおけるＨ形鋼３９のフランジ４０ａ，４０ｂどうしの連結箇所４１に確実に固定されるから、型枠板４２ａ，４２ｂを支持プレート１１とＨ形鋼３９のフランジ４０ａ，４０ｂとの間に確実に固定することができる。
【００８５】
型枠板固定器具１０は、螺着ロッド１４の第２固定ナット２５をＨ形鋼３９のフランジ４０ａ，４０ｂどうしの連結箇所４１に取り付けられて斜め方向へ並ぶ連結ボルト４４に螺着するだけで、一方の型枠板４２ａを一方の型枠板固定器具１０の支持プレート１１とＨ形鋼３９の一方のフランジ４０ａの外面との間に固定することができるとともに、他方の型枠板４２ｂを他方の型枠板固定器具１０の支持プレート１１とＨ形鋼３９の他方のフランジ４０ｂの外面との間に固定することができ、型枠板４２ａ，４２ｂをコーナーに位置するＨ形鋼３９に手間を要せず短時間に効率よく固定することができる。
【００８６】
型枠板固定器具１０は、螺着ロッド１３（螺着部材）をＨ形鋼３９のフランジ４０ａ，４０ｂどうしの連結箇所４１に取り付けられて斜め方向へ並ぶ複数の連結ボルト４４に螺着することで、それら連結ボルト４４を利用しつつ型枠板４２ａ，４２ｂをコーナーに位置するＨ形鋼３９に強固に固定することができ、型枠板４２ａ，４２ｂをＨ形鋼３９に容易に固定することができる。また、支持プレート１１を斜めに傾斜させた状態で縦方向または横方向へ並ぶ複数の型枠板固定器具１０をＨ形鋼３９に設置することで、それら型枠板固定器具１０の当接ボルト３３の当接カップ３４（先端部）が型枠板４２ａ，４２ｂの外面に密着してそれら型枠板４２ａ，４２ｂがＨ形鋼３９のフランジ４０ａ，４０ｂに固定されるから、複数の型枠板固定器具１０を利用することで、それら型枠板４２ａ，４２ｂをＨ形鋼３９のフランジ４０ａ，４０ｂに確実に固定することができる。
【００８７】
型枠板固定器具１０は、Ｈ形鋼３９のフランジ４０ａ，４０ｂどうしの連結箇所４１に設置された連結ボルト４４に対する螺着ロッド１３の第２固定ナット２５（先端部）の螺着を解除すると、Ｈ形鋼３９のフランジ４０ａ，４０ｂどうしの連結箇所４１に対するそれら型枠板固定器具１０の連結が解除されるとともに、Ｈ形鋼３９のフランジ４０ａ，４０ｂに対する型枠板４２ａ，４２ｂの固定が解除されるから、連結ボルト４４に対する螺着ロッド１３の螺着を解除するだけで、Ｈ形鋼３９に対する型枠板４２ａ，４２ｂの固定を容易に解除することができ、コーナーに位置するＨ形鋼３９から型枠板４２ａ，４２ｂを容易に取り外すことができる。
【符号の説明】
【００８８】
１０    型枠板固定器具具
１１    支持プレート（支持部材）
１１ａ  第１支持プレート（支持部材）
１１ｂ  第２支持プレート（支持部材）
１２    設置スペース
１２ａ  第１設置スペース
１２ｂ  第２設置スペース
１３    螺着ロッド（螺着部材）
１４    当接ロッド（当接部材）
１５    先端部
１６    中間部
１７    後端部
１８    第１支持部分
１９    第１補強部分
２０    第２支持部分
２１    第２補強部分
２２ａ〜ｃ  第１〜第３連結ピン
２３    螺着ボルト
２４    第１固定ナット（固定部材）
２５    第２固定ナット（螺子部材）
２６    螺着ナット（長さ調節部材）
２７    先端部
２８    中間部
２９    後端部
３０    ワッシャ
３１    開口螺着部
３２    ワッシャ
３３    当接ボルト
３４    当接カップ
３５    螺着ナット（長さ調節部材）
３６    先端部
３７    中間部
３８    後端部
３９    Ｈ形鋼（鋼材）
４０ａ  一方のフランジ
４０ｂ  他方のフランジ
４１    連結箇所
４２ａ  一方の型枠板
４２ｂ  他方の型枠板
４３    添接板
４４    連結ボルト
４５    六角ナット
４６    空間
【図１】
2018013021.tif 000003
【図２】
2018013021.tif 000004
【図３】
2018013021.tif 000005
【図４】
2018013021.tif 000006
【図５】
2018013021.tif 000007
【図６】
2018013021.tif 000008
【図７】
2018013021.tif 000009
【図８】
2018013021.tif 000010